(57)【要約】【課題】大掛かりな装置や設置場所等を必要とせず、自主的に、且つ、理想的な状態でスイングを矯正することができるゴルフスイングの矯正具を提供する。【解決手段】基台２と、基台２に具備された連結具３と、連結具３に設置された第１軸体１０と、第１軸体１０に連結された、屈曲部を有する第２軸体２０とを備えたゴルフスイングの矯正具１である。連結具３は、第１軸体１０を振動自在に傾斜させる第１連結部４を備え、さらに第１軸体１０に、第２軸体２０を回動自在に連結する第２連結部１１を具備する。【選択図】図１
0003175170.tif 000002
【実用新案登録請求の範囲】
【請求項１】
基台と、基台に具備された連結具と、該連結具に設置された第１軸体と、該第１軸体に連結された、屈曲部を有する第２軸体とを備えたことを特徴とするゴルフスイングの矯正具。
【請求項２】
前記連結具が、第１軸体を振動自在に傾斜させる第１連結部を有する請求項１記載のゴルフスイングの矯正具。
【請求項３】
前記第１軸体が、第２軸体を回動自在に連結する第２連結部を備えている請求項１または２記載のゴルフスイングの矯正具。
【請求項４】
前記第２軸体又は／および第１軸体が伸縮自在に形成されている請求項１乃至３のうちいずれか１項に記載のゴルフスイングの矯正具。
【請求項５】
前記第２軸体にカバー材が被覆されている請求項１乃至４のうちいずれか１項に記載のゴルフスイングの矯正具。
【請求項６】
前記カバー材の上端に目印が装着されている請求項５に記載のゴルフスイングの矯正具。
【請求項７】
前記基台が、インパクトの瞬間を表示する表示部を備えている請求項１乃至６のうちいずれか１項に記載のゴルフスイングの矯正具。
【請求項８】
前記基台に、プレーヤーの姿を映す鏡が装着されている請求項１乃至７のうちいずれか１項に記載のゴルフスイングの矯正具。
【考案の詳細な説明】
【技術分野】
【０００１】
本考案は、ゴルフのスイングを理想的な状態に矯正することができるゴルフスイングの矯正具に関する。
【背景技術】
【０００２】
ゴルフスイングにおいて、スイング時にクラブヘッドが円弧を描くようにスイングすることが好ましい。また、ゴルフボールをフックやスライスさせずに真直ぐに飛ばすためには、クラブヘッドのボールに対する角度も重要である。
【０００３】
そのため従来、ゴルフクラブを素振りした際、他人のアドバイスを受けたり、鏡に映る自分の姿をチェックしたりしながらバックスイング、トップ、ダウンスイング、インパクト、およびフォロースルーまでの一連の動作をチェックしてスイングの矯正を行なっていた。
【０００４】
しかしながら、他人のアドバイスを受けるには、矯正する箇所でスイングの流れを止めなければならない。また、鏡を利用して自分のスイング状態をチェックすることは、違和感を生ずるとともに、細部までのチェックができずに正確なスイングの矯正はできなかった。
【０００５】
そこで、上述の問題を解消する従来技術として、ゴルフクラブのスイングの軌跡を安定化させるとともに、スイング中におけるフォームの矯正及び安定化を図って、正しいフォームでの安定したスイングをより早く身につけることができるスイング練習器が開発されている（例えば特許文献１参照）。
【０００６】
上掲特許文献１に記載されたゴルフのスイング練習器は、傾斜角を調整可能に支持された円ないし卵形のガイドループと、このガイドループの弧に沿って自由移動可能なキャリアと、先端部をキャリアで拘束されかつ基端にグリップを設けたスイングシャフトとを備え、練習者が斜めに設置したガイドループの略中心に位置してスイングシャフトを振り回すゴルフのスイング練習器であり、練習者の一方の足の脛の外側への傾動を阻止するべく鉛直方向に立設された傾動阻止面と、他方の足の足裏を内側に傾斜させる斜めの踏み面とを備えた立ち台を備えていることを特徴としている。
【先行技術文献】
【特許文献】
【０００７】
【特許文献１】特開平１１−９９２３３号公報（特許請求の範囲等）
【考案の概要】
【考案が解決しようとする課題】
【０００８】
しかしながら、上掲特許文献１に記載されたゴルフのスイング練習器は、ガイドループ、キャリア、スイングシャフト、傾動阻止面、踏み面、立ち台、鳴子等の部材を備えているため、多くの製造コストが掛るとともに、広大な設置場所や収納設備を必要とした。また、スイングシャフトがガイドループに沿って強制的に移動されるため、自発的にスイングを矯正するというトレーニングには不向きであった。
【０００９】
そこで本考案の目的は、大掛かりな装置や設置場所等を必要とせず、自主的に、且つ、理想的な状態でダウンスイングからのスイングプレーンにより、アドレスの状態にインパクトを再現できるゴルフスイングの矯正具を提供することにある。
【課題を解決するための手段】
【００１０】
上記課題を解決するために、本考案のゴルフスイングの矯正具は、基台と、該基台に具備された連結具と、該連結具に設置された第１軸体と、該第１軸体に連結された、屈曲部を有する第２軸体とを備えたことを特徴とする。本考案の好適実施形態を以下に列挙する。
【００１１】
前記連結具が、第１軸体を振動自在に傾斜させる第１連結部を有する。
【００１２】
前記第１軸体が、第２軸体を回動自在に連結する第２連結部を備えている。
【００１３】
前記第２軸体又は／および第１軸体が伸縮自在に形成されている。
【００１４】
前記第２軸体にカバー材が被覆されている。
【００１５】
前記カバー材の上端に目印が装着されている。
【００１６】
前記基台が、インパクトの瞬間を表示する表示部を備えている。
【００１７】
前記基台に、プレーヤーの姿を映す鏡が装着されている。
【考案の効果】
【００１８】
本考案のゴルフスイングの矯正具によれば、第１軸体と屈曲部を有する第２軸体とを連結具を介して傾斜させることで、ゴルフスイング練習の際、インパクト時における理想的なフォームを体得することができる。
【００１９】
また、第１軸体に、第２軸体を回動自在に連結する第２連結部を設けることにより、クラブが誤って第２軸体に接触した際でも、第２軸体が回動して矯正具のズレや破損を回避できる。
【００２０】
さらに、前記第２軸体又は／および第１軸体を伸縮自在に形成することにより、子供から大人まで、身長の異なるプレーヤーであっても自在に練習することができる。
【図面の簡単な説明】
【００２１】
【図１】ゴルフスイングの矯正具の全体斜視図である。
【図２】第１軸体を傾斜させた状態の側面図である。
【図３】第２軸体を回動させた状態の側面図である。
【図４】矯正具の側面図である。
【図５】第２軸体を伸長させた状態の側面図である。
【図６】矯正具の使用状態を示す側面図である。
【図７】矯正具の使用状態を示す正面図である。
【図８】前記矯正具の一連の使用状態を示す側面図である。
【図９】前記矯正具の一連の使用状態を示す正面図である。
【考案を実施するための形態】
【００２２】
以下、大掛かりな装置や設置場所等を必要とせず、自主的に、且つ、理想的な状態でダウンスイングからのスイングプレーンにより、アドレスの状態にインパクトを再現することができる本考案のゴルフスイングの矯正具の実施の形態を図面に基づいて説明する。
【００２３】
図１に示すゴルフスイングの矯正具１は、基台２と、基台２に具備された連結具３と、連結具３に設置された第１軸体１０と、第１軸体１０に連結された、屈曲部２４を有する第２軸体２０とを備えている。
【００２４】
基台２は、薄い平板状を呈しており、樹脂、金属、木製等のさまざまな材質で形成することができる。また特に、基台２は、第１軸体１０と第２軸体２０とを傾斜状に倒伏させた際でも転倒しないように、適宜の重量を有する材質で形成することが望ましい。
【００２５】
連結具３は、基台２と第１軸体１０とを連結するもので、基台２の一側面に装着されている。また、連結具３は、第１軸体１０を振動自在に傾斜させることができる第１連結部４を備えている。第１連結部４は、左右一対の脚部５と、脚部４間に具備された横架軸６とからなり、横架軸６が脚部５に対して適宜固さを有する状態で嵌着されている。これにより、図２に示すように、第１軸体１０を任意の角度に傾斜させることができる。
【００２６】
第１軸体１０は、好適には中空状の樹脂パイプにて形成されており、基端は連結具３の横架軸６に、先端は第２軸体２０の基端に装着されている。また特に、第１軸体１０の先端部分には、第２軸体２０を回動自在に連結する第２連結部１１が装着されている。第２連結部１１を備えることで、図３に示すように、スイングの際、ゴルフクラブが誤って第２軸体２０に接触した際でも、第２軸体２０が第２連結部１１から回動するために矯正具１のズレや破損を回避することができる。
【００２７】
第２軸体２０も、好適には中空状の樹脂パイプにて形成されており、下部の第１アーム部２１と、上部の第２アーム部２２とで形成されている。また、第１アーム部２１の基端は第２連結部１１に回動自在に連結されている。
【００２８】
また、第２軸体２０における第１アーム部２１と第２アーム部２２と間には、第２軸体２０を階段状に屈曲する屈曲部２４が形成されている。第２軸体２０に屈曲部２４を形成することで、第１軸体１０を傾斜させた状態でゴルフクラブ３０をセットすることにより、図６に示すように、ゴルフクラブ３０を第２アーム部２２に対して平行状態に配置させることができる。また、本考案のゴルフスイングの矯正具１は、プレーヤーの前面に配置させてインパクトのフォーム矯正に使用することに限らず、図７に示すように、プレーヤーの右側に置くことによりダウンスイングの矯正を、また左側に置くことでフォロースルーの矯正を行うことができる。
【００２９】
また、第２軸体２０および第１軸体１０のいずれか一方、または双方を伸縮自在に形成することが好ましい。図４に示すように、第２軸体２０の第１アーム部２１と第２アーム部２２とを接続部２５を介して伸縮自在に形成することで、第２軸体２０を任意の長さに伸縮させることができる。また、図５に示すように、前記第１軸体１０を接続部１２を介して伸縮自在に形成することで、第１軸体１０を任意の長さに伸縮させることもできる。これにより、子供から大人まで、身長の異なるプレーヤーであっても自在に練習することができる。
【００３０】
また、第２軸体２０にはカバー材２３が被覆されていることが好ましい。カバー材２３を柔軟性を有する素材で形成することにより、例えば、クラブのグリップをイメージした形状に形成することができる。これにより、視覚的なイメージが向上するとともに、誤って第２アーム部２２にクラブが接触した際でも、クラブや第２アーム部２２の傷付きを防ぐことができる。
【００３１】
また、カバー材２３の上端に目印２６を装着してもよい。目印２６は、明るい色彩を有することが好ましく、特に、蛍光色等の施すことで、第２軸体２０の位置を明確に認識でき、夜間におけるスイングの矯正練習を行うことができる。
【００３２】
また、本考案のゴルフスイングの矯正具において、基台２に、インパクトの瞬間を表示する表示部７を備えてもよい。かかる表示部７は、矯正具１の適宜箇所に装着されたセンサ（図示せず）により、プレーヤーのトップスイングからダウンスイングにおけるゴルフクラブのスイング状態を認識し、最適なインパクトの瞬間を点灯させて表示するものである。
【００３３】
さらに、基台２に、プレーヤーの姿を映す鏡８を装着してもよい。かかる鏡８は、ヒンジ等を介して基台２に対し角度調節自在に装着されていることが好ましい。鏡８を基台２に装着することで、スイング時における矯正を視覚的にも矯正することが可能になる。
【００３４】
次に、本考案におけるゴルフスイングの矯正具の使用方法を図８および図９に基づいて説明する。なお図８の（ａ）（ｂ）（ｃ）（ｄ）はスイング矯正時における側面図を、図９の（ａ）（ｂ）（ｃ）（ｄ）は、スイング矯正時における正面図をそれぞれ表す。
【００３５】
（ａ）は、第１軸体１０を傾斜させ、ゴルフクラブ３０を配置させた状態を示すものである。この場合、ゴルフクラブ３０と第２軸体２０の第２アーム部２２とが平行状態となり、この状態が理想的なゴルフクラブの配置状態となる。
【００３６】
（ｂ）は、バックスイングからトップに至る状態を示す。この場合、プレーヤーの正面には第２軸体２０の第２アーム部２２が視認される。このため、この第２アーム部２２があることにより、アドレス状態に戻ることができ、スイングプレーンが安定する。
【００３７】
（ｃ）は、ダウンスイングからインパクトの瞬間を示すものである。この場合、ゴルフクラブ３０と第２アーム部２２とを平行状態にするように心掛ける。これにより、トップからダウンスイングを理想的なスイングにするとともに、インパクト時におけるクラブの角度と体の状態を矯正することができる。
【００３８】
（ｄ）は、フォロースローの状態を示す。この場合、プレーヤーの正面には第２アーム部２２が視認され、この第２アーム部２２を見続けることにより、ヘッドアップの癖を直すことができる。
【００３９】
上述のように、セットアップ、バックスイング、トップ、ダウンスイング、インパクト、フォロースルーにおける一連のスイング時において、プレーヤーの正面には常に第２アーム部２２が視認されるため、前後左右の身体のズレや不自然な体重移動、またヘッドアップの癖を直すことができる。また、インパクト時のクラブの角度やクラブヘッドのボールに対する角度も同時に矯正できる。
【００４０】
また、上述のスイング矯正時において、ゴルフクラブ３０が誤って第２アーム部２２接触した際でも、第２アーム部が回動するため矯正具１がズレたり破損したりすることを回避できる。
【００４１】
さらに、本考案におけるゴルフスイングの矯正具は、第１連結部４により第１軸体１０を任意の角度に傾斜できるため、図示するようにアイアンのスイング矯正に限るものではなく、例えば、ウッドのスイングを矯正する際は第１軸体１０を大きく傾斜させ、パターのスイングを矯正する際は、第１軸体１０を垂直に近い状態に起立させることで、さまざまなクラブのスイング矯正が実現できる。
【符号の説明】
【００４２】
１  矯正具
２  基台
３  連結具
４  第一連結部
５  脚部
６  横架軸
７  表示部
８  鏡
１０  第１軸体
１１  第２連結部
１２  接続部
２０  第２軸体
２１  第１アーム部
２２  第２アーム部
２３  カバー材
２４  屈曲部
２５  接続部
２６  目印
３０  ゴルフクラブ
【図１】
0003175170.tif 000003
【図２】
0003175170.tif 000004
【図３】
0003175170.tif 000005
【図４】
0003175170.tif 000006
【図５】
0003175170.tif 000007
【図６】
0003175170.tif 000008
【図７】
0003175170.tif 000009
【図８】
0003175170.tif 000010
【図９】
0003175170.tif 000011
【手続補正書】
【提出日】平成24年2月22日(2012.2.22)
【手続補正１】
【補正対象書類名】実用新案登録請求の範囲
【補正対象項目名】全文
【補正方法】変更
【補正の内容】
【実用新案登録請求の範囲】
【請求項１】
基台と、基台に具備された連結具と、該連結具に設置された第１軸体と、該第１軸体に
連結された、屈曲部を有する第２軸体とを備えたことを特徴とするゴルフスイングの矯正
具。
【請求項２】
前記連結具が、第１軸体を振動自在に傾斜させる第１連結部を有する請求項１記載のゴ
ルフスイングの矯正具。
【請求項３】
前記第１軸体が、第２軸体を回動自在に連結する第２連結部を備えている請求項１また
は２記載のゴルフスイングの矯正具。
【請求項４】
前記第２軸体又は／および第１軸体が伸縮自在に形成されている請求項１乃至３のうち
いずれか１項に記載のゴルフスイングの矯正具。
【請求項５】
前記第２軸体にカバー材が被覆されている請求項１乃至４のうちいずれか１項に記載の
ゴルフスイングの矯正具。
【請求項６】
前記カバー材の上端に目印が装着されている請求項５に記載のゴルフスイングの矯正具
。
【請求項７】
前記基台に、プレーヤーの姿を映す鏡が装着されている請求項１乃至６のうちいずれか
１項に記載のゴルフスイングの矯正具。